(57)【特許請求の範囲】
【請求項１】
清掃部材が交換可能に装着される清掃ヘッドと該清掃ヘッドの端部に連結される柄部とを備えた清掃具であって、
前記清掃ヘッドは、幅方向中央部分に長手方向に延びて形成された中央リブ部と、該中央リブ部を挟む両側それぞれに形成された側部平板状部分とを有しており、
前記清掃ヘッドは、合成樹脂製であり、前記清掃部材を装着した状態で下面を被清掃面に押し付けることにより長手方向に沿ってしならせることが可能であり、且つその先端側に向けて、しなり易さが徐々に増大しており、
前記中央リブ部は、前記清掃ヘッドの後端側に中空嵌合部を備え、該中空嵌合部より前方に、前記側部平板状部分から上面側に隆起する隆起部を有するとともに、該中央リブ部の下面から該隆起部の頂部までの高さが、前記清掃ヘッドの先端側に向けて減少している隆起補強部を形成しており、
前記柄部は、前記中空嵌合部の内部に挿入されて嵌合する挿入嵌合部を備えており、
前記中空嵌合部は、前記挿入嵌合部が挿入される挿入口側端部の上壁部幅方向中央に切欠き部を有し、該挿入嵌合部は、該中空嵌合部に挿入されたときに前記切欠き部と嵌合する上部嵌合部を有しており、
前記中空嵌合部の内部に、内部に挿入された挿入嵌合部を全周に亘って取り囲む第１嵌合部と、前記切欠き部部分において上面が開放されており、内部に挿入された挿入嵌合部を前記切欠き部部分を除いて取り囲む第２嵌合部とを有しており、
前記挿入嵌合部は、第１嵌合部内に挿入される部分の長手方向の長さＬ１が、第２嵌合部内に挿入される部分の同方向の長さＬ２の１／２以上２倍以下であり、
第１嵌合部は、第２嵌合部に隣接する部位の上壁部の幅方向の中央部に、第１嵌合部に挿入される部分の周囲を囲む壁面が上方に向かって膨らんだ窪みを有しており、該窪みは、前記清掃ヘッドの長手方向における後端側が開放されている、記載の清掃具。
【請求項２】
前記中央リブ部は、前記挿入嵌合部の挿入方向における第１嵌合部よりも奥に、第１嵌合部内の空間と連通し、前記挿入嵌合部が挿入されない非挿入空間を有している、請求項１に記載の清掃具。
【請求項３】
前記窪みは、前記清掃ヘッドの幅方向に沿う幅が前記切り欠き部の同方向の幅未満である、請求項１又は２に記載の清掃具。
【請求項４】
前記挿入嵌合部は、第１嵌合部内に挿入される部分の長さＬ１が、前記切欠き部の幅Ｗａ以上である、請求項１〜３の何れか１項に記載の清掃具。
【請求項５】
第１嵌合部及び第２嵌合部に一対の溝部が連続して形成されており、前記挿入嵌合部の両側部に、一対の該溝部にスライド挿入される一対の凸条部が形成されている、請求項１〜４の何れか１項に記載の清掃具。
【請求項６】
前記清掃ヘッドは、前記中央リブ部の先端よりも更に該清掃ヘッドの先端側に延在する先端側平板状部分を有している、請求項１〜５の何れか１項に記載の清掃具。
【発明の詳細な説明】
【技術分野】
【０００１】
本発明は、清掃ヘッドと該清掃ヘッドの端部に連結される柄部とを備え、清掃ヘッドに清掃部材が交換可能に装着されて清掃に使用される清掃具に関する。
【背景技術】
【０００２】
例えば不織布等からなる使い捨て用の清掃シートや、清掃布、モップ等の清掃部材を、例えば合成樹脂製の清掃ヘッドに着脱交換可能に取り付けて用いるハンディモップ等の清掃具が知られている。これらの清掃具によれば、清掃シート等を廃棄したり、洗い直して繰り返し用いながら、例えば家庭内において簡便且つ手軽に清掃を行うことが可能になる。
【０００３】
また、本出願人は先に、清掃ヘッドの清掃部材が装着される縦長薄板状部に、断面円弧状の円弧状隆起補強部を形成し、該円弧状隆起補強部の高さを先端側に向けて減少させた形状とすることで、先端側に向けて縦長薄板状部のしなり易さを徐々に増大させた清掃具を提案した（特許文献１参照）。
また、先に、清掃ヘッドと柄部との連結部が、柄部の連結側端部の両側に延びる一対の溝部と該溝部の対向する底部を両側壁とする中リブとを有する柄部側連結部と、清掃具本体の連結側端部において前記板状部に立設された一対の立ち壁部と該立ち壁部から対向して張出した一対の張出し支持部とを有する本体側連結部とからなり、本体側連結部の一対の張出し支持部を柄部側連結部の一対の溝部に各々入れてスライド挿入して連結させる清掃具を提案した（特許文献２参照）。
【先行技術文献】
【特許文献】
【０００４】
【特許文献１】特開２０１４−６８７６９号公報
【特許文献２】特開２００７−１６７４２５号公報
【発明の概要】
【発明が解決しようとする課題】
【０００５】
特許文献１の清掃具においては、成形が容易で簡易且つ安価な形状を清掃ヘッドに付加することで、しなり易さを長手方向に変化させて、先端側部分のみをしならせて被清掃面に押し付けたり、先端側部分と連設基端部側部分との間の中間部分をしならせて被清掃面に押し付けたりしながら、傾けた清掃ヘッドの底面を被清掃面に押し付ける位置を容易に調整しつつ被清掃面を清掃することができる。
しかし、縦長薄板状部の強度を調整する円弧状隆起補強部は、それが隆起する上面側とは反対側の下面が窪んでおり、縦長薄板状部の見栄えの低下や、清掃部材が窪みに陥没することで被清掃面に対する押し圧の低下の点で、改善の余地があった。また、縦長薄板状部の下面を窪ませて隆起補強部を形成した場合には、縦長薄板状部の端部に形成する柄部との連結部の強度を一層向上させることが困難であった
【０００６】
特許文献２の清掃部における清掃ヘッドと柄部との連結部の構成も、清掃部材が装着される薄板状部をしならせ被清掃面に押し付けて使用することや狭い所に使用する際に清掃ヘッドの幅方向を縦にして押し付けること等を想定した場合には、連結強度に改善の余地があった。
【０００７】
したがって本発明の課題は、前述した従来技術が有する欠点を解消し得る清掃具を提供することにある。
【課題を解決するための手段】
【０００８】
本発明は、清掃部材が交換可能に装着される清掃ヘッドと該清掃ヘッドの端部に連結される柄部とを備えた清掃具であって、前記清掃ヘッドは、幅方向中央部分に長手方向に延びて形成された中央リブ部と、該中央リブ部を挟む両側それぞれに形成された側部平板状部分とを有しており、前記中央リブ部は、前記清掃ヘッドの後端側に中空嵌合部を備え、該中空嵌合部より前方に、前記側部平板状部分から上面側に隆起する隆起部を有するとともに、該中央リブ部の下面から該隆起部の頂部までの高さが、前記清掃ヘッドの先端側に向けて減少している隆起補強部を形成しており、前記柄部は、前記中空嵌合部の内部に挿入されて嵌合する挿入嵌合部を備えており、前記中空嵌合部は、前記挿入嵌合部が挿入される挿入口側端部の上壁部幅方向中央に切欠き部を有し、該挿入嵌合部は、該中空嵌合部に挿入されたときに前記切欠き部と嵌合する上部嵌合部を有しており、前記中空嵌合部の内部に、内部に挿入された挿入嵌合部を全周に亘って取り囲む第１嵌合部と、前記切欠き部部分において上面が開放されており、内部に挿入された挿入嵌合部を前記切欠き部部分を除いて取り囲む第２嵌合部とを有している、清掃具を提供するものである。
【発明の効果】
【０００９】
本発明の清掃具によれば、清掃部材を被清掃面に押し圧の低下なく押し当て易く、ほこりの捕集性等に優れており、また清掃部材を被清掃面に強く押し当ても、清掃ヘッドと柄部との連結部に屈曲が生じる等の不都合が生じにくい。また、また、清掃ヘッドの下面に窪みを形成する必要がなく、見栄えも良い。
【図面の簡単な説明】
【００１０】
【図１】図１（ａ）及び図１（ｂ）は、本発明の好ましい一実施形態に係る清掃具に清掃部材を装着して清掃作業を行う状態とする様子を示す斜視図であり、図１（ａ）は装着する直前の状態、図１（ｂ）は装着した状態を示す図である。
【図２】図２（ａ）は、図１に示す清掃具の上面図、図２（ｂ）は、図１に示す清掃具の底面図である。
【図３】図３（ａ）及び図３（ｂ）は、図１に示す清掃具の清掃ヘッドと柄部との連結部を示す斜視図であり、図３（ａ）は連結する直前の状態、図３（ｂ）は連結した状態を示す図である。
【図４】図４（ａ）は、清掃ヘッドの図２（ａ）のＤ−Ｄ線に沿う断面と、柄部の挿入嵌合部及びその近傍の側面部とを併せて示す説明図であり、図４（ｂ）は、図４（ａ）に示した、柄部の挿入嵌合部及びその近傍の上面図である。
【図５】図５は、図２のＤ−Ｄ線断面図である。
【図６】図６（ａ）〜図６（ｃ）は、柄部の挿入嵌合部を中空隆起部に挿入した状態における、図４（ａ）のＡ−Ａ線に沿う断面図、図４（ａ）のＢ−Ｂ線に沿う断面図及び図４（ａ）のＣ−Ｃ線に沿う断面図である。
【図７】図７は、図１に示す清掃具における柄部の挿入嵌合部及びその近傍の裏面側を示す斜視図である。
【図８】図８は、図１に示す清掃具の清掃ヘッドの製造に好ましく用いられる金型の模式断面図である。
【発明を実施するための形態】
【００１１】
本発明の好ましい実施形態である清掃具１（以下「清掃具１」ともいう）は、図１に示すように、清掃ヘッド１０と、該清掃ヘッド１０の端部に連結される柄部１２とを備える。
清掃具１は、例えば表裏一対の不織布からなる清掃シート３ａを所定の箇所でシール止めして、中央部分に、清掃ヘッド１０の袋状又は筒状の挿入装着部３ｂを形成した清掃部材３を、清掃ヘッド１０に着脱交換可能に装着して用いられ、柄部１２を手で把持して、清掃部材３を装着した清掃ヘッド１０を被清掃面に接触させたり押し付けることにより、室内や車内等における清掃対象物に付着したごみ、ほこり、汚れ等を清掃部材３によって捕集するものである。なお、図１に示す清掃部材３の挿入装着部３ｂの開口部近傍部分には、係着切込み３ｃが形成されており、この係着切込み３ｃに、後述する隆起補強部１９から上方に突出する係着突起１８ｔを係着することにより、清掃部材３が清掃具１に装着された状態を保持する。また係着切込み３ｃと係着突起１８ｔとの係着を解除することにより、清掃部材３から清掃ヘッド１０を抜き取ることが可能になる。
清掃ヘッド１０に装着する清掃部材としては、特開２００８−６２６０号公報に記載のもの等を用いることもできる。
【００１２】
清掃具１における清掃ヘッド１０は、図１（ａ）及び図２（ａ）に示すように、幅方向Ｙの中央部分に幅方向中央部分に長手方向Ｘに延びて形成された中央リブ部１４と、該中央リブ部１４を挟む両側それぞれに形成された側部平板状部分１５ｓ，１５ｓとを有している。また、中央リブ部１４は、清掃ヘッド１０の後端側に、柄部１２との連結部１４ａを形成する中空嵌合部１６を備え、中空嵌合部１６より前方に、側部平板状部分１５ｓ，１５ｓから上面側に隆起する隆起部１９ａを有するとともに、中央リブ部１４の下面から隆起部１９ａの頂部までの高さＴ〔図５及び図６（ｃ）参照〕が、清掃ヘッド１０の先端１０ｂ側に向けて漸次減少している隆起補強部１９を形成している。従って、側部平板状部分１５ｓ，１５ｓは、隆起補強部１９の両側に位置する。
【００１３】
清掃ヘッド１０においては、隆起補強部１９及びその両側に位置する側部平板状部分１５ｓ，１５ｓが、挿入装着部３ｂに挿入されて清掃部材３が装着される扁平状装着部１５を形成しており、隆起補強部１９の下面及び側部平板状部分１５ｓ，１５ｓの下面が、扁平状装着部１５に装着された清掃部材３を被清掃物に押し付け可能な一平面状の押し付け面を形成している。なお、中央リブ部１４の下面は、隆起補強部１９の下面を兼ねる。
中央リブ部１４の隆起補強部１９は、清掃部材３が装着される扁平状装着部１５に所要の剛性を付与するものであるが、前述のように、中央リブ部１４の下面から隆起部１９ａの頂部までの高さＴが、清掃ヘッド１０の先端１０ｂ側に向けて漸減しており、より詳細には、前記高さＴ及び隆起部１９ａの幅が、減少している。これにより、清掃ヘッド１０は、隆起補強部１９における中空嵌合部１６に隣接する部位から、清掃ヘッド１０の先端１０ｂ側に向けて、しなり易さが徐々に増大しており、これによって、しなり易い先端１０ｂ側部分のみの底面を押し付けたり、先端１０ｂから連結部１４ａ側部分との間の中間部分の底面を被清掃面に押し付けたりして、清掃ヘッド１０の底面を被清掃面に押し付ける位置を任意に調整しながら、被清掃面を清掃できるようになっている。
【００１４】
また、本実施形態の清掃具１における清掃ヘッド１０は、中央リブ部１４を挟む両側に位置する側部平板状部分１５ｓ，１５ｓに加えて、中央リブ部１４の先端１４ｂよりも更に清掃ヘッド１０の先端１０ｂ側に延在する先端側平板状部分１５ａを有している。中央リブ部１４が延在しない柔軟な先端側平板状部分１５ａを有することにより、清掃部材３を被清掃物に一層弱く押し当てての清掃等も可能となる。先端側平板状部分１５ａを有する本実施形態における清掃ヘッド１０においては、扁平状装着部１５が、隆起補強部１９及びその両側に位置する側部平板状部分１５ｓ，１５ｓ並びに先端側平板状部分１５ａを含んでおり、一平面状の押し付け面が、それらの下面によって形成している。
清掃ヘッド１０は、本実施形態では、例えばポリプロピレン、ポリエチレン等の合成樹脂による成形品であって、全体として例えば１００〜２００ｍｍ程度の長さを有するように形成されている。
【００１５】
中央リブ部１４は、清掃ヘッド１０の後端側、より詳細には、中央リブ部１４における清掃ヘッド１０の後端１０ａ側の端部に、図５に示すように、内部が中空の中空嵌合部１６を備えている。中空嵌合部１６は、清掃ヘッド１０の後端側に、柄部１２との連結部１４ａを形成する。中空嵌合部１６は、中空部の周囲の壁面の肉厚が、中央リブ部１４の長手方向において略一定である。
中空嵌合部１６は、清掃ヘッド１０の長手方向Ｘにおける長さが、中央リブ部１４の同方向の全長の好ましくは３０％以上１００％以下であり、より好ましくは５０％以上９０％以下である。
中空嵌合部１６は、図３に示すように、清掃ヘッド１０の長手方向Ｘにおける一端に挿入口１６ａを有している。一方、柄部１２の先端部には、挿入口１６ａから中空嵌合部１６の内部に挿入されて中空嵌合部１６の内部に嵌合する挿入嵌合部２１が形成されている。
【００１６】
図３（ａ）に示すように、中空嵌合部１６は、挿入嵌合部２１が挿入される挿入口１６ａ側の端部の上壁部幅方向中央に切欠き部１８ａを有しており、柄部１２における挿入嵌合部２１は、図３（ｂ）に示すように、中空嵌合部１６に挿入されたときに切欠き部１８ａと嵌合する上部嵌合部２３ａを有している。
また、中空嵌合部１６の内部に、内部に挿入された挿入嵌合部２１を全周に亘って取り囲む第１嵌合部１７〔図６（ａ）参照〕と、切欠き部１８ａ部分において上面が開放されており、内部に挿入された挿入嵌合部２１を切欠き部１８ａ部分を除いて取り囲む第２嵌合部１８〔図６（ｂ）参照〕とを有している。
また、中央リブ部１４は、挿入嵌合部２１の挿入方向における第１嵌合部１７よりも更に奥に、第１嵌合部１７内の空間と連通しているが、挿入嵌合部２１が挿入されない非挿入空間１１を有している〔図６（ｃ）参照〕。
【００１７】
より詳細に説明すると、中空嵌合部１６の第１嵌合部１７には、挿入嵌合部２１の先端２１ａ側に位置する第１部２２が挿入される。図４（ａ）に示すように、本実施形態における挿入嵌合部２１の第１部２２の下面には、中空嵌合部１６に嵌合した挿入嵌合部２１の嵌合状態を安定化させるために係合凸部２２ｂが形成され、第１嵌合部１７の下面には、その係合凸部２２ｂが係脱する係合孔１４ｆが形成されている。また、図３（ａ）及び図４（ｂ）に示すように、挿入嵌合部２１の第１部２２に凹部２２ｃが形成されている。凹部２２ｃは、挿入嵌合部２１や、挿入嵌合部２１を含む柄側連結部２０を合成樹脂の射出成形により形成する際に必要な樹脂量を減らす観点、及び係合凸部２２ｂを有する底部形成部２２ｄを挟む両側にスリット２２ｅ，２２ｅを形成して、係合凸部２２ｂを有する底部形成部２２ｄの弾性変形を容易とすることによって、係合凸部２２ｂの係合孔１４ｆへの係脱を容易にする観点から形成されている。凹部２２ｃの形成により、第１部２２には、凹部２２ｃを挟んで対向する一対の側部形成部２２ｓ，２２ｓが形成されている。一対の側部形成部２２ｓ，２２ｓは、それぞれ第１部２２の側部を形成している。スリット２２ｅ，２２ｅにより側部形成部２２ｓとの間が分断されて形成された底部形成部２２ｄは、一部又は全体が、側部形成部２２ｓ，２２ｓよりも下側に突出している。
このように、本実施形態における挿入嵌合部２１の第１部２２は、先端部２２ｔを除く部分が、図６（ａ）に示すように、凹部２２ｃを挟んで対向する一対の側部形成部２２ｓ，２２ｓと、底部形成部２２ｄとに分割されており、それらの全体からなる第１部２２の周囲が、第１嵌合部１７の内面によって囲まれている。
中空嵌合部１６の第１嵌合部１７は、図６（ａ）に示すように、側部平板状部分１５ｓから立ち上がる一対の側壁部１４ｓ，１４ｓと、側壁部１４ｓ，１４ｓの上端部間を連結する上壁部１４ｕと、上壁部１４ｕと相対向する底面形成部１４ｄとを有する。底面形成部１４ｄは、第１嵌合部１７における第１部２２に臨む底面を形成するとともに、清掃ヘッド１０の平坦な下面も形成している。
なお、本発明において、第１部２２の一部（先端部２２ｔを除く部分等）が、一対の側部形成部２２ｓ，２２ｓと底部形成部２２ｄのような複数部分に分割されていることは必須ではない。
【００１８】
中空嵌合部１６の第２嵌合部１８には、挿入嵌合部２１の基端２１ｂ側に位置する第２部２３が挿入される。本実施形態における第２部２３は、第１部２２よりも高さｈが高く、第１部２２の上面２２ａと第２部２３の上面との間に段差ｄを有している。前述した上部嵌合部２３ａの先端部が、この段差ｄ分、第１部２２の上面２２ａから突出しており、該先端部が、切欠き１８ａの突き当り面１８ｅに衝合する。
また、第２部２３は、図４（ｂ）に示すように、挿入嵌合部２１の平面視における上部嵌合部２３ａを挟む両側それぞれに、上部嵌合部２３ａの側縁の位置より外方に張り出す側方張出部２３ｓ，２３ｓを有している。
【００１９】
本実施形態においては、図４（ａ）、図６（ａ）及び図６（ｂ）に示すように、第１嵌合部１７及び第２嵌合部１８に一対の溝部１４ｍ，１４ｍが連続して形成されている。一対の溝部１４ｍ，１４ｍは、それぞれ、中空嵌合部１６内への挿入嵌合部２１の挿入方向に沿って形成されており、挿入嵌合部２１の両側部に、各溝部１４ｍにスライド挿入される一対の凸条部２３ｓが形成されている。本実施形態においては、溝部１４ｍにスライド挿入される凸条部２３ｓが、前述した第２部２３における側方張出部２３ｓ，２３ｓを形成している。本実施形態における一対の凸条部２３ｓは、それぞれ、前述した側部形成部２２ｓからなる第１部２２の側部に形成された凸条部と、第２部２３における側方張出部２３ｓとが、挿入嵌合部２１の長手方向に連続して形成されている。
【００２０】
本実施形態の清掃具１によれば、隆起補強部１９の高さ及び幅、特に高さが、柄部１２との連結部１４ａを形成する中空嵌合部１６側から清掃ヘッド１０の先端１０ｂ側に向けて減少していること、及び清掃ヘッド１０の下面（裏面）が平坦であることによって、清掃部材３を装着した清掃ヘッド１０の底面を被清掃面に押し付ける位置を任意に調整しながら、被清掃面を所望の押し圧で清掃できる。中央リブ部１４は、図５に示すように、中空嵌合部１６の第１嵌合部１７の一部１７Ｐを含めて、該一部より先端側の部分が、先端１０ｂ側に向かって漸減していることが一層好ましい。
しかも、清掃ヘッド１０を大きくしならせて被清掃面を清掃した際には、清掃ヘッド１０と柄部１２とを連結部において屈曲させる力が働くが、本実施形態の清掃具１においては、挿入嵌合部２１を嵌合させる中空嵌合部１６に、挿入嵌合部２１を異なる態様で支持する第１嵌合部１７と第２嵌合部１８とを有するため、切欠き部１８ａの先端部に応力が集中せず、応力を第１嵌合部１７と第２嵌合部１８の広い範囲に分散させて負担させることができる。そのため、清掃ヘッド１０と柄部１２との間に屈曲が生じる等の不都合が生じにくい。
【００２１】
斯かる効果が一層確実に奏されるようにする観点から、第２嵌合部１８に挿入される第２部２３の最大幅（張出部の先端どうし間の距離）Ｗｂは、第２嵌合部１８の切欠き部１８ａの幅Ｗａの、好ましくは１.２倍以上、より好ましくは１.５倍以上であり、また、好ましくは３倍以下、より好ましくは２倍以下であり、また、好ましくは１.２倍以上３倍以下、より好ましくは１.５倍以上２倍以下である。
【００２２】
また同様の観点から、挿入嵌合部２１は、第１嵌合部１７内に挿入される部分である第１部２２の長手方向の長さＬ１が、第２嵌合部１８内に挿入される部分である第２部２３の同方向の長さＬ２の、好ましくは１／３以上、より好ましくは１／２以上であり、更に好ましくは２／３以上であり、また好ましくは３以下、より好ましくは２以下であり、更に好ましくは３／２以下である。なお、挿入嵌合部２１自体の長手方向の長さＬは、好ましくは１０ｍｍ以上５０ｍｍ以下であり、より好ましくは１０ｍｍ以上３０ｍｍ以下である。
また同様の観点から、挿入嵌合部２１は、第１嵌合部１７内に挿入される部分である第１部２２の長さＬ１が、切欠き部１８ａの幅Ｗａ以上であることが好ましい。
【００２３】
また、本実施形態の清掃具１においては、前述したように、中央リブ部１４は、第１嵌合部１７よりも奥に、挿入嵌合部２１が挿入されない非挿入空間１１を有しているため、中央リブ部１４に肉厚部分が生じることを防止でき、射出成形等による製造時に肉厚部分が収縮することにより意図しない凹凸や質感の変化部が生じて、見栄えが悪化することが防止される。
さらに、清掃ヘッド１０と柄部１２を組み立てた後は、非挿入空間１１を囲む、肉厚を減肉した壁部が外部から見えることがなく、見栄えが良い。
【００２４】
また、前述した実施形態の清掃ヘッド１０は、係着突起１８ｔの裏側に、上面側に凸の断面形状に窪んだ窪み１７ｃを有している。換言すれば、第１嵌合部１７は、第２嵌合部１８に隣接する部位に、挿入嵌合部２１の第１部２２の囲む壁面の上壁部１４ｕにおける幅方向中央部に上方に向かって膨らんだ窪み１７ｃを有している。中央リブ部１４の幅方向に沿う窪み１７ｃの幅Ｗｃ〔図３（ｂ）参照〕は、前述した切欠き部１８ａの同方向の幅Ｗａ〔図６（ｂ）参照〕未満であり、好ましくは幅Ｗａの２／３未満である。第１嵌合部１７が、斯かる窪み１７ｃを有する部位を第２嵌合部１８の隣接部位に有することで、清掃ヘッド１０と柄部１２との間に一層屈曲が生じにくくなる。
【００２５】
上述した構成の清掃ヘッド１０は、例えば、図８に示すように、一方向Ｄ１に開閉する一対の割型５Ａ，５Ｂに加えて、前記一方向に直交する方向Ｄ２に進退する挿入型５Ｃを備えた金型でキャビティ５を形成することにより、射出成形により容易に製造することができる。清掃ヘッド１０や、柄部１２の柄側連結部２０を射出成形する場合の合成樹脂としては、射出成形可能な各種の樹脂を特に制限なく用いることができ、例えば、ポリプロピレン、ポリエチレン等のポリオレフィン樹脂、ＡＢＳ樹脂、ポリカーボネイト、ナイロン、ポリアセタール、ＰＥＴ（ポリエチレンテレフタレート）等が挙げられる。
また、柄部１２は、伸長しないものであっても良いし、公知の伸縮機構、例えば、特許文献１に記載の柄部の伸縮機構を用いて伸縮自在な柄部としても良い。
また、清掃ヘッド１０に、中央リブ部１４や中空嵌合部１６を設けることによって、射出成型した清掃ヘッド１０の裏面に、中央リブ部１４や中空嵌合部１６の輪郭に沿った凹部や質感の変形部が生じることがある。これによる見栄えの悪化を防止する観点から、清掃ヘッド１０の裏面に、中央リブ部１４や中空嵌合部１６の輪郭に沿った溝４を形成することも好ましい。
【００２６】
なお、本発明は上記実施形態に限定されることなく種々の変更が可能である。例えば、隆起補強部は、幅や高さを直線状に連続して減少させる形状に形成されている必要は必ずしも無く、平面視した際の両側の側辺部や、側面視した際の上辺部を湾曲させながら、幅や高さを先端部側に向けて連続して減少させるものであっても良い。また、隆起補強部は、先端の幅が無くなるまで、先端部を鋭角に尖らせて形成する必要は必ずしもなく、例えば先端部を扁平状装着部の幅方向の面で平坦に、又は曲面状に面取りした形状を有していても良い。また、隆起補強部は、幅や高さを連続して減少させる形状に形成されている必要は必ずしも無く、幅や高さの減少していない部分を有していても良い。また、隆起補強部は、幅は一定のまま、高さのみを減少させる形状に形成しても良い。
【００２７】
また、第１嵌合部１７は、中央リブ部１４の長手方向Ｘの全域に亘って、前述した窪み１７ｃを有していないものであっても良い。また、図２（ｂ）及び図５には、清掃ヘッド１０の底面に、装着した清掃部材３との間に滑りを生じさせにくくする小凸部１５ｔを設けた場合を示してあるが、そのような小凸部１５ｔは無くても良い。
【符号の説明】
【００２８】
１  清掃具
１０  清掃ヘッド
１１  非挿入空間
１２  柄部
１４  中央リブ部
１４ｍ  溝部
１５  扁平状装着部
１５ａ  先端側平板状部分
１５ｓ  側部平板状部分
１６  中空嵌合部
１６ａ  挿入口
１７  第１嵌合部
１８  第２嵌合部
１８ａ  切欠き部
１９  隆起補強部
１９ａ  隆起部
２０  柄側連結部
２１  挿入嵌合部
２２  第１部
２３  第２部
２３ａ  上部嵌合部
２３ｓ  凸条部（側方張出部）
５  清掃部材
【図１】
0006470036.tif 000002
【図２】
0006470036.tif 000003
【図３】
0006470036.tif 000004
【図４】
0006470036.tif 000005
【図５】
0006470036.tif 000006
【図６】
0006470036.tif 000007
【図７】
0006470036.tif 000008
【図８】
0006470036.tif 000009